(57)【要約】      （修正有）【課題】吸引式電気掃除機では、取り切れない塵が室内に放散され、かび臭さも残るなどの弊害があり、還流式電気掃除機が考案されているが、基本構造の変革が無いため、従来から有る吸引流路とは別に還流路が追加されるだけで、本体部にとっても吸い込み口部にとっても複雑化し、その分割高となり未だ商品化されていない。【解決手段】本体部をホースで引きずり回すのを止めて背負いタイプにすれば、吸引ホースの中に極薄厚の還流ホースを組み入れることが可能となり、又、循環式であることから、吸い込み口部の極端なつまりが無く、従来の吸引ホースのような強靭なものである必要は無く、しかも、棒状管路が無い分、流路の大幅なコストダウンが可能である。又、棒状管路が無いことから、作業終了時に、ホースと吸い込み口部とステッキを本体部の中に格納することも可能となり、本体部の姿がすっきりとコンパクトに成り、置き場所の自由度が増す。【選択図】図１
2009160350.tif 000002
【特許請求の範囲】
【請求項１】
還流式又は循環式電気掃除機の本体部と吸い込み口部の間を繋ぐ棒状管路及びホースは、それぞれ吸引流路と還流路を持つが、棒状管路を無くしてホースのみとすることで流路の構造を単純化し、且つ、吸引ホースの中に還流ホースを組み込み、必要に応じて吸引ホース又は還流ホースの中に電源ケーブルを組み込む構造の循環式ホースとしたこと、及び、これを本体部と吸い込み口部に直結するようにし、使用時には、着脱可能で且つ伸縮可能なステッキを取り付け、ステッキのグリップにホースの中間部を掛けるようにしたことを特徴とする循環式電気掃除機。
【請求項２】
請求項１に記載する循環式ホースの長さを短縮し、且つ、作業性の向上を図るため、還流式又は循環式電気掃除機の本体部を背負いタイプにしたこと、及び、作業終了後、循環式ホースと吸い込み口部とステッキを全て本体部に格納するようにしたことを特徴とする背負い型循環式電気掃除機。
【請求項３】
還流空気の一部を還流分流器により分岐し、高性能フィルターを通して外部に放出することにより、吸い込み口部の還流空気の流量調整を行うことを特徴とした循環式電気掃除機。
【請求項４】
吸引式電気掃除機に於いて、棒状管路を無くしてホースのみとして、本体部を背負いタイプにしてホースの長さを短縮し、これを本体部と吸い込み口部に直結するようにしたこと、及び、使用時には、着脱可能で且つ伸縮可能なステッキを取り付け、ステッキのグリップにホースの中間部を掛けるようにし、更に、作業終了後、吸引ホースと吸い込み口部とステッキを全て本体部に格納することを特徴とする吸引式電気掃除機。
【発明の詳細な説明】
【技術分野】
【０００１】吸引流路と還流路を必要とする還流式又は循環式電気掃除機に於いて、本体部と吸い込み口部とを繋ぐ流路の改良、及び、本体部を背負いタイプにし、且つ、流路と吸い込み口部等を全て格納する構造に改良する技術分野。
【背景技術】
【０００２】電気掃除機を使用すると、ダスト収集袋を通った空気が掃除機から放出され、取り切れない細かい塵が室内に拡散し、ごみ臭い匂いがするなど、非衛生的であり、この弊害を解消しようとして還流式電気掃除機が考案されてはいるが、従来型の吸引流路とは別に還流路が必要となり、本体部と吸い込み口部との間を繋ぐ流路がホースと棒状管路で構成されているため、以外に太く成りがちでコスト高にもなるなどの問題がある。  又、棒状管路が災いして、作業終了時の姿が不安定で置き場所に窮している。
【発明の開示】
【発明が解決しようとする課題】
【０００３】従来技術は、掃除機本体部や流路の構造の変更はあまり考慮されずにいたため、原理的に従来型の吸引流路とは別に還流路が必要で、それだけ流路が太くなりコストが嵩むこととなる。  本発明では、掃除機本体部と吸い込み口部を繋ぐ吸引流路と還流路を出来る限りシンプルな構造にすること、及び、これを促進するため、本体部の構造を背負いタイプにするなどの変更をすること、更に、使用後の形状が、従来技術では棒状管路がむき出しとなっているため、仕舞い勝手が悪く置き場所に窮していたが、本発明では、棒状管路を無くし全てを本体部に格納出来る構造にすることで、この課題を解決しようとするものである。
【課題を解決するための手段】
【０００４】電気掃除機の本体部を背負いタイプにすることにより、作業性の向上は当然ではあるが、棒状管路を省略することと、ホースの長さを短縮することを可能とし、又、棒状管路の省略により、本体部と吸い込み口部とをホースのみで繋ぐことを可能とする。吸引流路は陰圧で還流路は陽圧であることから、吸引ホースの中に薄厚の還流ホースを組み入れ、必要に応じて電源ケーブルを吸引ホース内又は還流ホース内に組み入れた構造の循環式ホースとすることで、本体部と吸い込み口部を繋ぐ流路の大幅なコストダウンを可能とする。  更に、使用後、吸い込み口部と循環式ホースとステッキとを、背負いタイプの本体部に全て格納する構造にすることで、コンパクトで且つすっきりとした形状となり、仕舞い勝手を良くし、置き場所に自由度を与えるものとなる。
【発明の効果】
【０００５】背負いタイプとすることの効果は、▲１▼作業性が格段に向上し、脚立を使ってタンスの上や天井等の高い所の電気掃除機による掃除が可能となること、▲２▼棒状管路を無くすることにより、本体部と吸い込み口部を繋ぐものがホースのみと単純化される結果、陰圧の吸引ホースの中に陽圧の還流ホースを取り込んだ構造の循環式ホースとすることが可能となり、内側の還流ホースは極薄厚のもので良く、又、外側の吸引ホースも循環式の特性から極端なつまり状態が無いため、従来タイプのような強靭なものである必要は無く、しかも、棒状管路が無い分、流路の大幅なコストダウンが図られ、還流式又は循環式電気掃除機を商品化することを可能とすること、▲３▼棒状管路が無いため、吸い込み口部と循環型ホースとステッキを本体部に全て格納する構造とすることが可能となり、作業終了時の形状がすっきりし、電気掃除機の置き場所の自由度が増すこと、▲４▼循環式電気掃除機が商品化されることにより、作業時の室内空気が大幅に改善されること、▲５▼循環式であるため、吸い込み口部の極端なつまりが解消され、吸引力の向上にも寄与すること、などの効果が期待される。
【実施例１】
【０００６】吸い込み口部に直結した棒状管路を無くし、本体部と吸い込み口部の間を繋ぐ吸引流路と環流路をホースのみと単純化し、図２に示すように、流路の構造を吸引流路となるホースの中に還流路となる極薄厚のホースを入れ、更に、その中に電源ケーブルを入れた一体構造の循環型ホースとし、図３に示すように、使用時には、吸い込み口部に伸縮可能なステッキを取り付け、グリップ部にホースの中間部を掛けるようにし、図１に示すように、還流式又は循環式電気掃除機の本体部を背負いタイプにし、又、ホースと吸い込み口部とステッキを本体部に全て格納する構造とし、更に、図４に示すように、還流空気の流量調整を行うための還流分流器を本体部に設け、高性能フィルターを通して外部に放出する背負い型循環式電気掃除機。
【実施例２】
【０００７】吸い込み口部に直結した棒状管路を無くし、本体部と吸い込み口部の間を繋ぐ吸引流路をホースのみとし、図３に示すように、使用時には、吸い込み口部に伸縮可能なステッキを取り付け、グリップ部にホースの中間部を掛けるようにし、図１に示すように、吸引式電気掃除機の本体部を背負いタイプにし、又、ホースと吸い込み口部とステッキを全て格納する構造とした背負い型吸引式電気掃除機。
【図面の簡単な説明】
【０００８】
【図１】本発明の電気掃除機の本体部の基本構成要素を表したもの。
【図２】本発明の還流式又は循環式電気掃除機に利用する循環式ホースの断面の形状を表したもの。
【図３】本発明の棒状管路に変わるステッキとホースと吸い込み口部の基本的構成要素及び結合状態を表したもの。
【図４】本発明の還流分流器の断面図で、基本構成要素を表したもの。
【符号の説明】
【０００９】１      格納式ショルダーデッキ
２      スライド摘み
３      還流分流器
４      放出口
５      ホース
６      ホース収容部
７      吸引モーター
８      電源ケーブル巻き取り器
９      ダスト捕集部
１０    本体ケース
１１    吸引ホース
１２    還流ホース
１３    電源ケーブル
１４    吸引流路
１５    還流路
１６    吸い込み口部
１７    着脱部
１８    伸縮式ステッキ
１９    グリップ部
２０    ホース掛け
２１    スライド弁
２２    高性能フィルター
【図１】
2009160350.tif 000003
【図２】
2009160350.tif 000004
【図３】
2009160350.tif 000005
【図４】
2009160350.tif 000006